(57)【要約】【課題】  保護部材を製造するにも射出成形等の成形金型を使用しないことで、小量生産時の初期費用を抑えると共に、射出成形等で製造したものと同等の機能を有する光ファイバ保持装置を安価に実現することを目的とする。【解決手段】  端面に開口が形成された筐体、この筐体内部から、前記開口を介して前記筐体外部へ引き出される光ファイバ、この光ファイバに複数回巻きつけられたテープ部材を備え、このテープ部材を前記光ファイバに巻きつける回数は、前記端面からこの端面と離間した位置までの間で、前記端面から離れる距離が増大するにつれて、徐々に減少している光ファイバ保護装置。【選択図】  図１
2006308763.tif 000002
【特許請求の範囲】
【請求項１】
端面に開口が形成された筐体、
この筐体内部から、前記開口を介して前記筐体外部へ引き出される光ファイバ、
この光ファイバに複数回巻きつけられたテープ部材を備え、
このテープ部材を前記光ファイバに巻きつける回数は、
前記端面からこの端面と離間した位置までの間で、前記端面から離れる距離が増大するにつれて、徐々に減少していることを特徴とする光ファイバ保護装置。
【請求項２】
テープ部材は
厚さが均一であることを特徴とする請求項１記載の光ファイバ保護装置。
【請求項３】
テープ部材は、
巻きつける光ファイバの軸線に沿って、テーパが形成されたものであることを特徴とする請求項１記載の光ファイバ保護装置。
【請求項４】
テープ部材は、
筐体に設けられた溝と対応する位置が、
他の位置と比べて巻きつけ回数が増大するように形成されていることを特徴とする請求項１記載の光ファイバ保護装置。
【請求項５】
テープ部材は、
コの字型の切り欠き部を有することを特徴とする請求項１記載の光ファイバ保護装置。
【請求項６】
テープ部材は、
巻きつける光ファイバの軸線に沿って、曲線状の辺を有することを特徴とする請求項１記載の光ファイバ保護装置。
【発明の詳細な説明】
【技術分野】
【０００１】
この発明は、光伝送装置等で、信号等を伝送する光ファイバに外力が加えられ、局部的な屈曲が発生することによって、信号等の伝送性能が劣化しないように、光ファイバの一部を保護し、滑らかな曲率を保持する光ファイバ保護装置に関するものである。
【背景技術】
【０００２】
従来、下記特許文献１に記載された光ファイバ保護装置があった。
この光ファイバ保護装置は、光ファイバと、この光ファイバが貫通する、円筒状に樹脂成型された保持部材とを備える。
この光ファイバ保護装置によれば、光ファイバを外力から保護することが可能である。      
【特許文献１】特表平１１−５１５１１４号公報（第１図）
【発明の開示】
【発明が解決しようとする課題】
【０００３】
しかし、従来の光ファイバ保護装置は以上のように構成されているので、保護部材を製造するには射出成形等の成形金型が必要であり、大量生産には適しているが、小量生産には初期費用が掛かるなどの問題点があった。
【０００４】
この発明は上記のような問題点を解消するためになされたもので、保護部材を製造するにも射出成形等の成形金型を使用しないことで、少量生産時の初期費用を抑えると共に、射出成形等で製造したものと同等の機能を有する光ファイバ保護装置を安価に実現することを目的とする。
【課題を解決するための手段】
【０００５】
この発明に係る光ファイバ保護装置は、端面に開口が形成された筐体、この筐体内部から、前記開口を介して前記筐体外部へ引き出される光ファイバ、この光ファイバに複数回巻きつけられたテープ部材を備え、このテープ部材を前記光ファイバに巻きつける回数は、前記端面からこの端面と離間した位置までの間で、前記端面から離れる距離が増大するにつれて、徐々に減少しているものである。
【発明の効果】
【０００６】
この発明によれば、筐体から引き出された光ファイバを保護する保護部材を、少量生産する場合であっても、安価に製造できるようにすることができる。
【発明を実施するための最良の形態】
【０００７】
実施の形態１．
以下、この発明の実施の形態について説明する。図１はこの発明の実施の形態１による光ファイバ保護装置の外観図である。図１において、１は保護部材、２は光ファイバ、３は光ファイバ２が引き出される光モジュールまたは光伝送装置、３ａは光モジュールまたは光伝送装置３から光ファイバ２が引き出される外面またはパネル面、４は保護部材１と光モジュールまたは光伝送装置３を固定する固定剤である。
図２はこの発明の実施の形態１による光ファイバ保護装置の保護部材１を光ファイバ２に取り付ける前の展開状態である。
【０００８】
保護部材１は、厚さが均一な粘着性シートを材料とし、それ自体が柔軟なものである。例えば、片面に粘着材が塗布されたゴムシートや布、または、重ね合わせることにより融着する自己融着テープのようなものである。また、保護部材１は、図１の形状とする前段階として、例えば、図２で示すような、相対するほぼ平行な２辺１ａ、１ｂと、その他の２辺１ｃ、１ｄで囲まれた四角形において、その１つの角１ｅを斜めに切り取って出来た線分１ｆで囲まれた五角形の形状をしている。
【０００９】
光モジュールまたは光伝送装置３から光ファイバ２が引き出される外面またはパネル面３ａにおいて、図３のように、光ファイバ２の外周に、保護部材１を巻き付け、円錐形状とする。巻き付ける時は、まず、保護部材の（１ｃより長い）１ｄ側を光ファイバ２に粘着させ、保護部材１の１ａ、１ｂがその巻き付け周回毎にずれないように巻き付け、最後に１ｃの部分まで巻き付ける。
【００１０】
円錐形状となった保護部材１の１ａ側を光モジュールまたは光伝送装置３の、光ファイバ２が引き出される外面またはパネル面３ａから、光ファイバ２を引き出す部分として設けた貫通穴３ｂの円筒の座繰り３ｃに嵌め込み、固定剤４で固定する。
【００１１】
光モジュールまたは光伝送装置３に固定された保護部材１および光ファイバ２は、光モジュールまたは光伝送装置の貫通穴３ｂの直径方向に外力が加えられた場合、保護部材１の円錐形状より、光モジュールまたは光伝送装置３に近い根元の部分は剛性が高く、遠い先端の部分は剛性が低くなっているため、保護部材１の根元は変形し難く、先端は変形し易く、また、その剛性は根元から先端に向けて徐々に弱くなる特性から、光ファイバ２が滑らかな曲率を描くように出来、光ファイバの伝送特性の劣化を防ぐと共に、光ファイバへの局部的な応力集中による破損を防ぐ効果を有する。
【００１２】
実施の形態１に係る光モジュールまたは光伝送装置３は、以上のように、光ファイバの保護部材を厚さが均一な粘着シートを巻き付けて形成するように構成したので、保護部材の最も安価な製造方法としては、粘着シートをハサミやカッター等で切り取って形成することも可能である。そして、少量生産においては初期費用を抑えられることにより、装置を安価に製造することできる。さらに、射出成形等の成形金型を使用して製造したものと同様の機能を有する保護部材を得られるという効果がある。
【００１３】
実施の形態２．
なお、上記発明の実施の形態１では、保護部材１は展開された状態は、五角形をしていたが、図４で示すように上記発明の実施の形態１の五角形の１辺１ｃの一部に帯状の突出部１ｇを設けた形状としてもよい。その保護部材１を光ファイバ２の外周に巻き付けると図５で示すような、座１ｈが付いた円錐形状に仕上がる。また、光モジュールまたは光伝送装置３から光ファイバ２が引き出される外面またはパネル３ａの部分を、図６に示すように、分割線３ｄで分割し、図５の保護部材１が嵌まり込む段付部３ｅとすることにより、固定剤４を用いなくても固定機能を有するようになり、上記発明の実施の形態１と同等の効果を奏する。
【００１４】
実施の形態３．
なお、上記発明の実施の形態１および２は、図７で示すように、上記発明の実施の形態２の帯状の突出部１ｇの一部にコの字型の切り欠き部１ｉを設けた形状としてもよい。その場合、保護部材１を光ファイバ２の外周に巻き付けると図８に示すような、段付き座１ｊが付いた円錐形状に仕上がる。また、光モジュールまたは光伝送装置３から光ファイバ２が引き出される外面またはパネル３ｆの部分を、図９に示すように、分割線３ｄで分割し、図８の保護部材１が嵌まり込む穴３ｇとすることにより、固定剤４を用いなくても固定機能を有するようになると共に、上記発明の実施の形態１または２より、光モジュールまたは光伝送装置３から光ファイバ２が引き出される外面またはパネル３ｆの厚みが薄い、例えば、薄板の板金のようなものにも対応できるようになり、上記発明の実施の形態１または２と同等の効果を奏する。
【００１５】
実施の形態４．
なお、上記発明の実施の形態１から３は、図２、４、および７で示すように、保護部材１の線分１ｆを直線で記載しているが、任意の曲線としても良い。
線分１ｆの形状により、保護部材１を光ファイバ２の外周に巻き付けて出来る円錐形状の母線部は任意の形状にすることが出来、光ファイバ２が受ける外力や、その他の要求に対応した様々な剛性を持った保護部材１を形成することが出来る。
【図面の簡単な説明】
【００１６】
【図１】（ａ）はこの発明の実施の形態１による光ファイバ保護装置を示す側面図であり、（ｂ）はこの発明の実施の形態１による光ファイバ保護装置の正面図である。
【図２】この発明の実施の形態１による光ファイバ保護装置の保護部材の展開図である。
【図３】（ａ）はこの発明の実施の形態１による光ファイバ保護装置の保護部材を光ファイバに巻き付け図であり、（ｂ）はこの発明の実施の形態１による光ファイバ保護装置の保護部材を光ファイバに巻き付けた時の詳細図である。
【図４】この発明の実施の形態２による光ファイバ保護装置の保護部材の展開図である。
【図５】この発明の実施の形態２による光ファイバ保護装置の保護部材を光ファイバに巻き付けた時の詳細図である。
【図６】（ａ）はこの発明の実施の形態２による光ファイバ保護装置を示す側面図であり、（ｂ）はこの発明の実施の形態２による光ファイバ保護装置の正面図である。
【図７】この発明の実施の形態３による光ファイバ保護装置の保護部材の展開図である。
【図８】この発明の実施の形態３による光ファイバ保護装置の保護部材を光ファイバに巻き付けた時の詳細図である。
【図９】（ａ）はこの発明の実施の形態３による光ファイバ保護装置を示す側面図であり、（ｂ）はこの発明の実施の形態３による光ファイバ保護装置の正面図である。
【符号の説明】
【００１７】
１  保護部材、        １ａ〜１ｄ  辺、
１ｅ  角、            １ｆ  線分、            １ｇ  帯状の突出部、
１ｈ  座、            １ｉ  コの字型の切り欠き部、
１ｊ  段付き座、    ２  光ファイバ、
３  光モジュールまたは光伝送装置、        ３ａ  外面またはパネル面、
３ｂ  貫通穴、        ３ｃ  円筒の座繰り、
３ｄ  分割線、        ３ｅ  段付部、        ３ｆ  外面またはパネル、
３ｇ  穴、            ４  固定剤。
【図１】
2006308763.tif 000003
【図２】
2006308763.tif 000004
【図３】
2006308763.tif 000005
【図４】
2006308763.tif 000006
【図５】
2006308763.tif 000007
【図６】
2006308763.tif 000008
【図７】
2006308763.tif 000009
【図８】
2006308763.tif 000010
【図９】
2006308763.tif 000011